(57)【特許請求の範囲】
【請求項１】
コヒーレント光を射出する光源と、
ｘｙ平面に２次元状に配列された複数の画素部で構成され、前記光源から入射した光をページ毎に表示されたパターンに応じて画素毎に変調して、信号光及び参照光からなる記録光を生成する空間光変調器と、
前記空間光変調器で生成された記録光をフーリエ変換して光記録媒体に同軸で集光する集光光学系と、
信号光パターンを前記空間光変調器の固定領域に表示し且つ複数の空間周波数成分を含む参照光パターンを前記固定領域を含まないリング状の可変領域に表示すると共に、ページ毎に前記可変領域の中心点がｘｙ平面上の異なる場所に位置するように、前記空間光変調器の複数の画素部の各々を駆動制御する駆動制御部と、
を備えたことを特徴とする光記録装置。
【請求項２】
前記集光光学系は、
前記空間光変調器で生成された記録光をフーリエ変換して得られたフーリエ変換成分から０次回折成分を除去する除去素子と、
０次回折成分が除去された光を逆フーリエ変換するレンズと、
逆フーリエ変換された光を再フーリエ変換して光記録媒体に同軸で集光するレンズと、
を備えたことを特徴とする請求項１に記載の光記録装置。
【請求項３】
前記集光光学系は、
前記空間光変調器で生成された記録光のうち少なくとも参照光にランダムな位相分布を付与する位相調整素子と、
位相分布が付与された記録光をフーリエ変換して光記録媒体に同軸で集光するレンズと、
を備えたことを特徴とする請求項１に記載の光記録装置。
【請求項４】
ｘｙ平面に２次元状に配列された複数の画素部で構成され、光源から入射した光をページ毎に表示されたパターンに応じて画素毎に変調する空間光変調器を用い、
信号光パターンを前記空間光変調器の固定領域に表示して信号光を生成すると共に、複数の空間周波数成分を含む参照光パターンを前記固定領域を含まないリング状の可変領域に表示して参照光を生成し、
前記空間光変調器で生成された信号光及び参照光からなる記録光をフーリエ変換して光記録媒体に同軸で集光し、
ページ毎に前記可変領域の中心点をｘｙ平面上の異なる位置に移動させて、ページ毎に参照光パターンの表示位置を変更し、ページ毎に位相が異なる参照光を用いて、前記光記録媒体に複数ページのホログラムを多重記録する、
ことを特徴とする光記録方法。
【請求項５】
前記空間光変調器で生成された記録光をフーリエ変換して得られたフーリエ変換成分から０次回折成分を除去し、０次回折成分が除去された光を逆フーリエ変換し、逆フーリエ変換された光を再フーリエ変換して光記録媒体に同軸で集光する、ことを特徴とする請求項４に記載の光記録方法。
【請求項６】
前記空間光変調器で生成された記録光のうち少なくとも参照光にランダムな位相分布を付与し、位相分布が付与された記録光をフーリエ変換して光記録媒体に同軸で集光する、ことを特徴とする請求項４に記載の光記録方法。
【請求項７】
コヒーレント光を射出する光源と、
ｘｙ平面に２次元状に配列された複数の画素部で構成され、信号光パターンを空間光変調器の固定領域に表示し且つ複数の空間周波数成分を含む参照光パターンを前記固定領域を含まないリング状の可変領域に表示し、前記光源から入射した光をページ毎に表示されたパターンに応じて画素毎に変調して、信号光及び参照光からなる記録光を生成する空間光変調器と、
空間光変調器で生成された記録光をフーリエ変換して光記録媒体に同軸で集光する集光光学系と、
前記光記録媒体から再生された再生像を検出する光検出器と、
１ページ分のホログラムを再生する場合に、該ページ記録時と中心点が同じ位置の可変領域に参照光パターンを表示し、空間光変調器で生成された第１参照光を読出し光として照射して、前記光検出器で第１再生像を検出すると共に、ホログラムからの回折光と付与された直流成分とが逆位相により干渉するように該ページ記録時とは中心点が異なる位置に移動された可変領域に参照光パターンを表示し且つ固定領域に無変調パターンを表示し、空間光変調器で生成された第１参照光とは位相の異なる第２参照光を読出し光として照射して、前記光検出器で第２再生像を検出するように、前記光源、前記空間光変調器、及び前記光検出器の各々を駆動制御する駆動制御部と、
を備えることを特徴とする光記録再生装置。
【請求項８】
前記参照光パターンは、前記空間光変調器で生成された参照光のフーリエ変換像の輝点がマトリクス状に分布するように、明部と暗部とが所定周期で配置された周期的パターンである、ことを特徴とする請求項７に記載の光記録再生装置。
【請求項９】
前記駆動制御部は、１ページ分のホログラムを記録する場合に、前記固定領域に信号光パターンを表示し且つ前記可変領域に参照光パターンを表示して、前記空間光変調器で信号光及び参照光からなる記録光を生成するように、前記光源及び前記空間光変調器の各々を駆動制御する、ことを特徴とする請求項７又は８に記載の光記録再生装置。
【請求項１０】
前記集光光学系は、
空間光変調器で生成された記録光をフーリエ変換して得られたフーリエ変換成分のうち、少なくとも参照光の２次以上の回折成分を遮蔽する遮蔽部材と、
前記遮蔽部材を透過した１次以下の回折成分を逆フーリエ変換するレンズと、
逆フーリエ変換された光を再フーリエ変換して光記録媒体に同軸で集光するレンズと、
を備えたことを特徴とする請求項７〜９の何れか１項に記載の光記録再生装置。
【請求項１１】
前記遮蔽部材は、０次回折成分も遮蔽することを特徴とする請求項１０に記載の光記録再生装置。
【請求項１２】
前記空間光変調器にデジタル・マイクロミラー・デバイスを用いて１ページ分のホログラムを再生する場合に、信号光パターンを表示する前記固定領域の画素部のスイング周期ｍ（Ｈｚ）と、参照光パターンを表示する前記可変領域の画素部のスイング周期ｎ（Ｈｚ）とが、ｋ・ｎ＝ｍ（ｋは１以上の整数）の関係を満たすようにした、ことを特徴とする請求項７〜１１の何れか１項に記載の光記録再生装置。
【請求項１３】
ｘｙ平面に２次元状に配列された複数の画素部で構成され、光源から入射した光をページ毎に表示されたパターンに応じて画素毎に変調する空間光変調器を用い、
信号光パターンを前記空間光変調器の固定領域に表示して信号光を生成すると共に、複数の空間周波数成分を含む参照光パターンを前記固定領域を含まないリング状の可変領域に表示して参照光を生成し、
前記空間光変調器で生成された信号光及び参照光からなる記録光をフーリエ変換して光記録媒体に同軸で集光してホログラムを記録し、
１ページ分のホログラムを再生する場合に、該ページ記録時と中心点が同じ位置の可変領域に参照光パターンを表示し、空間光変調器で生成された第１参照光を読出し光として照射して、第１再生像を検出し、
ホログラムからの回折光と付与された直流成分とが逆位相により干渉するように該ページ記録時とは中心点が異なる位置に移動された可変領域に参照光パターンを表示し且つ固定領域に無変調パターンを表示し、空間光変調器で生成された第１参照光とは位相の異なる第２参照光を読出し光として照射して、第２再生像を検出する、
ことを特徴とする光記録再生方法。
【請求項１４】
コヒーレント光を射出する光源と、
ｘｙ平面に２次元状に配列された複数の画素部で構成され、信号光パターンを空間光変調器の固定領域に表示し且つ複数の空間周波数成分を含む参照光パターンを前記固定領域を含まないリング状の可変領域に表示し、前記光源から入射した光をページ毎に表示されたパターンに応じて画素毎に変調して、信号光及び参照光からなる記録光を生成する空間光変調器と、
前記空間光変調器で生成された記録光をフーリエ変換して得られたフーリエ変換成分から０次回折成分を除去する除去素子と、０次回折成分が除去された光を逆フーリエ変換するレンズと、逆フーリエ変換された光を再フーリエ変換して光記録媒体に同軸で集光するレンズと、を備えた集光光学系と、
前記光記録媒体から再生された再生像を検出する光検出器と、
１ページ分のホログラムを再生する場合に、ホログラムからの回折光と付与された直流成分とが同位相により干渉するように該ページ記録時とは中心点が異なる第１位置に移動された可変領域に参照光パターンを表示し且つ固定領域に無変調パターンを表示し、空間光変調器で生成された第１参照光を読出し光として照射して、前記光検出器で第１再生像を検出すると共に、ホログラムからの回折光と付与された直流成分とが逆位相により干渉するように該ページ記録時とは中心点が異なる第２位置に移動された可変領域に参照光パターンを表示し且つ固定領域に無変調パターンを表示し、空間光変調器で生成された第１参照光とは位相の異なる第２参照光を読出し光として照射して、前記光検出器で第２再生像を検出するように、前記光源、前記空間光変調器、及び前記光検出器の各々を駆動制御する駆動制御部と、
を備えることを特徴とする光記録再生装置。
【請求項１５】
前記参照光パターンは、前記空間光変調器で生成された参照光のフーリエ変換像の輝点がマトリクス状に分布するように、明部と暗部とが所定周期で配置された周期的パターンである、ことを特徴とする請求項１４に記載の光記録再生装置。
【請求項１６】
前記駆動制御部は、１ページ分のホログラムを記録する場合に、前記固定領域に信号光パターンを表示し且つ前記可変領域に参照光パターンを表示して、前記空間光変調器で信号光及び参照光からなる記録光を生成するように、前記光源及び前記空間光変調器の各々を駆動制御する、ことを特徴とする請求項１４又は１５に記載の光記録再生装置。
【請求項１７】
ｘｙ平面に２次元状に配列された複数の画素部で構成され、光源から入射した光をページ毎に表示されたパターンに応じて画素毎に変調する空間光変調器を用い、
信号光パターンを前記空間光変調器の固定領域に表示して信号光を生成すると共に、複数の空間周波数成分を含む参照光パターンを前記固定領域を含まないリング状の可変領域に表示して参照光を生成し、
前記空間光変調器で生成された信号光及び参照光からなる記録光をフーリエ変換して光記録媒体に同軸で集光してホログラムを記録し、
１ページ分のホログラムを再生する場合に、ホログラムからの回折光と付与された直流成分とが同位相により干渉するように該ページ記録時と中心点が異なる第１位置に移動された可変領域に参照光パターンを表示し且つ固定領域に無変調パターンを表示し、空間光変調器で生成された第１参照光を読出し光として照射して、第１再生像を検出し、
ホログラムからの回折光と付与された直流成分とが逆位相により干渉するように該ページ記録時とは中心点が異なる第２位置に移動された可変領域に参照光パターンを表示し且つ固定領域に無変調パターンを表示し、空間光変調器で生成された第１参照光とは位相の異なる第２参照光を読出し光として照射して、第２再生像を検出する、
ことを特徴とする光記録再生方法。
【発明の詳細な説明】
【技術分野】
【０００１】
本発明は、光記録装置、光記録方法、光記録再生装置、及び光記録再生方法に関する。
【背景技術】
【０００２】
近時、ホログラフィックメモリの記録再生方式として、従来の二光束干渉方式と比較して光学系を大幅に簡素化でき、振動などの外乱に強い、サーボ機構の導入が容易等の利点を有する同軸記録方式（コリニア方式）が提案されている。このコリニア方式では、空間光変調器により変調されて生成された信号光と参照光とを、共通の光軸として同一のレンズにより集光し、信号光と参照光との干渉により形成される干渉縞（回折格子）を、光記録媒体にホログラムとして記録する。デジタルデータを二次元符号化した信号光パターンを空間光変調器に表示することで、信号光にはデジタルデータが重畳される。
【０００３】
ホログラムが記録された光記録媒体に、参照光を読出し光として照射することで、記録されたホログラムから信号光が再生される。この再生信号光を光検出器で検出して、重畳されたデジタルデータを復号することができる。ホログラムを多重記録する方式としては、種々の多重化方式がある。この中でも、位相が変調された参照光を利用したものとしては、コード化された位相分布を付与する「位相コード多重」、拡散板等を用いてランダム位相を付与する「スペックル多重」などが知られている。
【０００４】
特許文献１に記載の多重化方式は、「コリレーション多重（位相相関多重）」と称されている。コリレーション多重は、ランダム化された位相相関の少ない参照光を用いる点で、スペックル多重と同様の多重記録方式である。スペックル多重と同様の原理であるコリニア方式では、参照光は信号光と共に空間光変調器により変調されて生成されるが、従来は、用いる参照光パターンは同一で且つ空間光変調器の同じ表示位置に表示されていた。そのため、多重記録をするには、即ち、隣接ホログラムを記録した参照光の位相分布に対する相関を減らすためには、光記録媒体を移動させることで対処していた。また、２光束系での「スペックル多重」においては、参照光の位相を変化させるために、多重記録毎に異なる周波数分布をもつ拡散板を用いることも可能である。しかし、この場合は、参照光の位相を変調した結果、信号光と参照光との強度比率や重なりが変化する欠点もある。
【０００５】
【特許文献１】米国特許５７１９６９１号明細書
【発明の開示】
【発明が解決しようとする課題】
【０００６】
本発明の目的は、コリニア方式において、空間光変調器における参照光パターンの表示位置に応じて位相が変調された参照光を利用してホログラムの記録や再生を行う、新規な光記録装置、光記録方法、光記録再生装置、及び光記録再生方法を提供することにある。
【課題を解決するための手段】
【０００７】
上記目的を達成するために請求項１に記載の光記録装置は、コヒーレント光を射出する光源と、ｘｙ平面に２次元状に配列された複数の画素部で構成され、前記光源から入射した光をページ毎に表示されたパターンに応じて画素毎に変調して、信号光及び参照光からなる記録光を生成する空間光変調器と、前記空間光変調器で生成された記録光をフーリエ変換して光記録媒体に同軸で集光する集光光学系と、信号光パターンを前記空間光変調器の固定領域に表示し且つ複数の空間周波数成分を含む参照光パターンを前記固定領域を含まないリング状の可変領域に表示すると共に、ページ毎に前記可変領域の中心点がｘｙ平面上の異なる場所に位置するように、前記空間光変調器の複数の画素部の各々を駆動制御する駆動制御部と、を備えたことを特徴とする。
【０００８】
請求項２に記載の光記録装置は、請求項１に記載の発明において、前記集光光学系は、前記空間光変調器で生成された記録光をフーリエ変換して得られたフーリエ変換成分から０次回折成分を除去する除去素子と、０次回折成分が除去された光を逆フーリエ変換するレンズと、逆フーリエ変換された光を再フーリエ変換して光記録媒体に同軸で集光するレンズと、を備えたことを特徴とする。
【０００９】
請求項３に記載の光記録装置は、請求項１に記載の発明において、前記集光光学系は、前記空間光変調器で生成された記録光のうち少なくとも参照光にランダムな位相分布を付与する位相調整素子と、位相分布が付与された記録光をフーリエ変換して光記録媒体に同軸で集光するレンズと、を備えたことを特徴とする。
【００１０】
請求項４に記載の光記録方法は、ｘｙ平面に２次元状に配列された複数の画素部で構成され、光源から入射した光をページ毎に表示されたパターンに応じて画素毎に変調する空間光変調器を用い、信号光パターンを前記空間光変調器の固定領域に表示して信号光を生成すると共に、複数の空間周波数成分を含む参照光パターンを前記固定領域を含まないリング状の可変領域に表示して参照光を生成し、前記空間光変調器で生成された信号光及び参照光からなる記録光をフーリエ変換して光記録媒体に同軸で集光し、ページ毎に前記可変領域の中心点をｘｙ平面上の異なる位置に移動させて、ページ毎に参照光パターンの表示位置を変更し、ページ毎に位相が異なる参照光を用いて、前記光記録媒体に複数ページのホログラムを多重記録する、ことを特徴とする。
【００１１】
請求項５に記載の光記録装置は、請求項４に記載の発明において、前記空間光変調器で生成された記録光をフーリエ変換して得られたフーリエ変換成分から０次回折成分を除去し、０次回折成分が除去された光を逆フーリエ変換し、逆フーリエ変換された光を再フーリエ変換して光記録媒体に同軸で集光する、ことを特徴とする。
【００１２】
請求項６に記載の光記録装置は、請求項４に記載の発明において、前記空間光変調器で生成された記録光のうち少なくとも参照光にランダムな位相分布を付与し、位相分布が付与された記録光をフーリエ変換して光記録媒体に同軸で集光する、ことを特徴とする。
【００１３】
請求項７に記載の光記録再生装置は、コヒーレント光を射出する光源と、ｘｙ平面に２次元状に配列された複数の画素部で構成され、信号光パターンを空間光変調器の固定領域に表示し且つ複数の空間周波数成分を含む参照光パターンを前記固定領域を含まないリング状の可変領域に表示し、前記光源から入射した光をページ毎に表示されたパターンに応じて画素毎に変調して、信号光及び参照光からなる記録光を生成する空間光変調器と、空間光変調器で生成された記録光をフーリエ変換して光記録媒体に同軸で集光する集光光学系と、前記光記録媒体から再生された再生像を検出する光検出器と、１ページ分のホログラムを再生する場合に、該ページ記録時と中心点が同じ位置の可変領域に参照光パターンを表示し、空間光変調器で生成された第１参照光を読出し光として照射して、前記光検出器で第１再生像を検出すると共に、ホログラムからの回折光と付与された直流成分とが逆位相により干渉するように該ページ記録時とは中心点が異なる位置に移動された可変領域に参照光パターンを表示し且つ固定領域に無変調パターンを表示し、空間光変調器で生成された第１参照光とは位相の異なる第２参照光を読出し光として照射して、前記光検出器で第２再生像を検出するように、前記光源、前記空間光変調器、及び前記光検出器の各々を駆動制御する駆動制御部と、を備えることを特徴とする。
【００１４】
請求項８に記載の光記録再生装置は、請求項７に記載の発明において、前記参照光パターンは、前記空間光変調器で生成された参照光のフーリエ変換像の輝点がマトリクス状に分布するように、明部と暗部とが所定周期で配置された周期的パターンである、ことを特徴とする。
【００１５】
請求項９に記載の光記録再生装置は、請求項７又は８に記載の発明において、前記駆動制御部は、１ページ分のホログラムを記録する場合に、前記固定領域に信号光パターンを表示し且つ前記可変領域に参照光パターンを表示して、前記空間光変調器で信号光及び参照光からなる記録光を生成するように、前記光源及び前記空間光変調器の各々を駆動制御する、ことを特徴とする。
【００１６】
請求項１０に記載の光記録再生装置は、請求項７〜９の何れか１項に記載の発明において、前記集光光学系は、空間光変調器で生成された記録光をフーリエ変換して得られたフーリエ変換成分のうち、少なくとも参照光の２次以上の回折成分を遮蔽する遮蔽部材と、前記遮蔽部材を透過した１次以下の回折成分を逆フーリエ変換するレンズと、逆フーリエ変換された光を再フーリエ変換して光記録媒体に同軸で集光するレンズと、を備えたことを特徴とする。
【００１７】
請求項１１に記載の光記録再生装置は、請求項１０に記載の発明において、前記遮蔽部材は、０次回折成分も遮蔽することを特徴とする。
【００１８】
請求項１２に記載の光記録再生装置は、請求項７〜１１の何れか１項に記載の発明において、前記空間光変調器にデジタル・マイクロミラー・デバイスを用いて１ページ分のホログラムを再生する場合に、信号光パターンを表示する前記固定領域の画素部のスイング周期ｍ（Ｈｚ）と、参照光パターンを表示する前記可変領域の画素部のスイング周期ｎ（Ｈｚ）とが、ｋ・ｎ＝ｍ（ｋは１以上の整数）の関係を満たすようにした、ことを特徴とする。
【００１９】
請求項１３に記載の光記録再生方法は、ｘｙ平面に２次元状に配列された複数の画素部で構成され、光源から入射した光をページ毎に表示されたパターンに応じて画素毎に変調する空間光変調器を用い、信号光パターンを前記空間光変調器の固定領域に表示して信号光を生成すると共に、複数の空間周波数成分を含む参照光パターンを前記固定領域を含まないリング状の可変領域に表示して参照光を生成し、前記空間光変調器で生成された信号光及び参照光からなる記録光をフーリエ変換して光記録媒体に同軸で集光してホログラムを記録し、１ページ分のホログラムを再生する場合に、該ページ記録時と中心点が同じ位置の可変領域に参照光パターンを表示し、空間光変調器で生成された第１参照光を読出し光として照射して、第１再生像を検出し、ホログラムからの回折光と付与された直流成分とが逆位相により干渉するように該ページ記録時とは中心点が異なる位置に移動された可変領域に参照光パターンを表示し且つ固定領域に無変調パターンを表示し、空間光変調器で生成された第１参照光とは位相の異なる第２参照光を読出し光として照射して、第２再生像を検出する、ことを特徴とする。
【００２０】
請求項１４に記載の光記録再生装置は、コヒーレント光を射出する光源と、ｘｙ平面に２次元状に配列された複数の画素部で構成され、信号光パターンを空間光変調器の固定領域に表示し且つ複数の空間周波数成分を含む参照光パターンを前記固定領域を含まないリング状の可変領域に表示し、前記光源から入射した光をページ毎に表示されたパターンに応じて画素毎に変調して、信号光及び参照光からなる記録光を生成する空間光変調器と、前記空間光変調器で生成された記録光をフーリエ変換して得られたフーリエ変換成分から０次回折成分を除去する除去素子と、０次回折成分が除去された光を逆フーリエ変換するレンズと、逆フーリエ変換された光を再フーリエ変換して光記録媒体に同軸で集光するレンズと、を備えた集光光学系と、前記光記録媒体から再生された再生像を検出する光検出器と、１ページ分のホログラムを再生する場合に、ホログラムからの回折光と付与された直流成分とが同位相により干渉するように該ページ記録時とは中心点が異なる第１位置に移動された可変領域に参照光パターンを表示し且つ固定領域に無変調パターンを表示し、空間光変調器で生成された第１参照光を読出し光として照射して、前記光検出器で第１再生像を検出すると共に、ホログラムからの回折光と付与された直流成分とが逆位相により干渉するように該ページ記録時とは中心点が異なる第２位置に移動された可変領域に参照光パターンを表示し且つ固定領域に無変調パターンを表示し、空間光変調器で生成された第１参照光とは位相の異なる第２参照光を読出し光として照射して、前記光検出器で第２再生像を検出するように、前記光源、前記空間光変調器、及び前記光検出器の各々を駆動制御する駆動制御部と、を備えることを特徴とする。
【００２１】
請求項１５に記載の光記録再生装置は、請求項１４に記載の発明において、前記参照光パターンは、前記空間光変調器で生成された参照光のフーリエ変換像の輝点がマトリクス状に分布するように、明部と暗部とが所定周期で配置された周期的パターンである、ことを特徴とする。
【００２２】
請求項１６に記載の光記録再生装置は、請求項１４又は１５に記載の発明において、前記駆動制御部は、１ページ分のホログラムを記録する場合に、前記固定領域に信号光パターンを表示し且つ前記可変領域に参照光パターンを表示して、前記空間光変調器で信号光及び参照光からなる記録光を生成するように、前記光源及び前記空間光変調器の各々を駆動制御する、ことを特徴とする。
【００２３】
請求項１７に記載の光記録再生方法は、ｘｙ平面に２次元状に配列された複数の画素部で構成され、光源から入射した光をページ毎に表示されたパターンに応じて画素毎に変調する空間光変調器を用い、信号光パターンを前記空間光変調器の固定領域に表示して信号光を生成すると共に、複数の空間周波数成分を含む参照光パターンを前記固定領域を含まないリング状の可変領域に表示して参照光を生成し、前記空間光変調器で生成された信号光及び参照光からなる記録光をフーリエ変換して光記録媒体に同軸で集光してホログラムを記録し、１ページ分のホログラムを再生する場合に、ホログラムからの回折光と付与された直流成分とが同位相により干渉するように該ページ記録時と中心点が異なる第１位置に移動された可変領域に参照光パターンを表示し且つ固定領域に無変調パターンを表示し、空間光変調器で生成された第１参照光を読出し光として照射して、第１再生像を検出し、ホログラムからの回折光と付与された直流成分とが逆位相により干渉するように該ページ記録時とは中心点が異なる第２位置に移動された可変領域に参照光パターンを表示し且つ固定領域に無変調パターンを表示し、空間光変調器で生成された第１参照光とは位相の異なる第２参照光を読出し光として照射して、第２再生像を検出する、ことを特徴とする。
【発明の効果】
【００２４】
請求項１記載の発明によれば、コリニア方式において、空間光変調器における参照光パターンの表示位置に応じて位相が変調された参照光を利用して、光記録媒体を移動させることなく、ホログラムを多重記録することができる、という効果がある。
【００２５】
請求項２、３記載の発明によれば、参照光に共通の０次回折成分によるクロストークを防止でき、信号光対雑音比（ＳＮＲ）が向上する、という効果がある。
【００２６】
請求項４記載の発明によれば、コリニア方式において、空間光変調器における参照光パターンの表示位置に応じて位相が変調された参照光を利用して、光記録媒体を移動させることなく、ホログラムを多重記録することができる、という効果がある。
【００２７】
請求項５、６記載の発明によれば、参照光に共通の０次回折成分によるクロストークを防止でき、信号光対雑音比（ＳＮＲ）が向上する、という効果がある。
【００２８】
請求項７記載の発明によれば、コリニア方式において、空間光変調器における参照光パターンの表示位置に応じて位相が変調された参照光を利用して、液晶型の空間光変調器を使用する場合に限定されることなく、１枚のホログラムから複数の再生像を得ることができる、という効果がある。
【００２９】
請求項８記載の発明によれば、参照光の位相制御が容易になる、という効果がある。
【００３０】
請求項９記載の発明によれば、コリニア方式において、空間光変調器における参照光パターンの表示位置に応じて位相が変調された参照光を利用して、液晶型の空間光変調器を使用する場合に限定されることなく、１枚のホログラムから複数の再生像が得られるように、ホログラムを記録し再生することができる、という効果がある。
【００３１】
請求項１０記載の発明によれば、参照光の位相制御が容易になると共に、記録領域の微小化が可能になる、という効果がある。
【００３２】
請求項１１記載の発明によれば、参照光に共通の０次回折成分によるクロストークを防止でき、信号光対雑音比（ＳＮＲ）が向上する、という効果がある。
【００３３】
請求項１２記載の発明によれば、空間光変調器にデジタル・マイクロミラー・デバイスを用いて、コントラストが高い再生像を得ることができる、という効果がある。
【００３４】
請求項１３記載の発明によれば、コリニア方式において、空間光変調器における参照光パターンの表示位置に応じて位相が変調された参照光を利用して、液晶型の空間光変調器を使用する場合に限定されることなく、１枚のホログラムから複数の再生像を得ることができる、という効果がある。
【００３５】
請求項１４記載の発明によれば、コリニア方式において、空間光変調器における参照光パターンの表示位置に応じて位相が変調された参照光を利用して、液晶型の空間光変調器を使用する場合に限定されることなく、１枚のホログラムから複数の再生像を得ることができる、という効果がある。
【００３６】
請求項１５記載の発明によれば、参照光の位相制御が容易になる、という効果がある。
【００３７】
請求項１６記載の発明によれば、コリニア方式において、空間光変調器における参照光パターンの表示位置に応じて位相が変調された参照光を利用して、液晶型の空間光変調器を使用する場合に限定されることなく、１枚のホログラムから複数の再生像が得られるように、ホログラムを記録し再生することができる、という効果がある。
【００３８】
請求項１７記載の発明によれば、コリニア方式において、空間光変調器における参照光パターンの表示位置に応じて位相が変調された参照光を利用して、液晶型の空間光変調器を使用する場合に限定されることなく、１枚のホログラムから複数の再生像が得られるように、ホログラムを記録し再生することができる、という効果がある。
【発明を実施するための最良の形態】
【００３９】
以下、図面を参照して本発明の実施の形態の一例を詳細に説明する。
【００４０】
＜第１の実施の形態＞
第１の実施の形態では、コリニア方式において、空間光変調器における参照光パターンの表示位置に応じて位相が変調された参照光を利用して、光記録媒体を記録光に対して相対移動させることなく（媒体非移動で）、ホログラムを多重記録する多重記録方式について説明する。以下では、この多重記録方式を「参照光パターンスライド多重」と称する。
【００４１】
（ホログラム記録再生装置）
図１は第１の実施の形態に係るホログラム記録再生装置の構成を示す概略図である。このホログラム記録再生装置は、光軸を共通とする信号光と参照光とを、同じ方向から１光束の記録光として光記録媒体に照射する「同軸記録方式（コリニア方式）」のホログラム記録再生装置である。本実施の形態では、透過型の空間光変調器（ＳＬＭ：spatial light modulator）と透過型の光記録媒体とを用いる「同軸透過型」のホログラム記録再生装置について説明する。
【００４２】
ホログラム記録再生装置には、コヒーレント光であるレーザ光を発振する光源１０が設けられている。光源１０としては、例えば、発振波長が５３２ｎｍの緑色レーザ光を発振するレーザ光源が用いられる。光源１０の光出射側には、光路に対し挿入又は退避（開閉）が可能なシャッター１２、直交する直線偏光成分間に１／２波長の光路差を与える１／２波長板１４、所定の偏光方向の光を通過させる偏光板１６、及び拡大・コリメート光学系であるビームエキスパンダ１８が、光源１０の側から光路に沿ってこの順に配置されている。
【００４３】
光源１０は、制御装置３６に接続された駆動装置４０により駆動されて発振する。駆動装置４０は、ＣＰＵ、ＲＯＭ、ＲＡＭ、記憶装置などを備えたパーソナルコンピュータ等で構成された制御装置３６に接続され、制御装置３６により制御されている。また、シャッター１２は、制御装置３６に接続された駆動装置３８により駆動されて開閉する。
【００４４】
ビームエキスパンダ１８の光透過側には、画素毎に入射光を変調する透過型の空間光変調器２０が配置されている。透過型の空間光変調器２０としては、液晶等の電気光学変換材料の両面に透明電極を形成した液晶型の空間光変調器等を用いることができる。空間光変調器２０は、パターン発生器（図示せず）を介して制御装置３６に接続されている。
【００４５】
パターン発生器は、制御装置３６から供給されたデジタルデータを明暗画像で表して、空間光変調器２０に表示する信号光パターンを生成する。信号光パターンは、例えば、二値のデジタルデータ「０，１」が「暗（黒画素）、明（白画素）」で表現されたデジタルパターン等である。空間光変調器２０には、信号光パターンの外に、参照光パターンも表示される。参照光パターンは、例えば、ランダムパターン、チェッカーパターン等、複数の空間周波数成分を有するパターンである。空間光変調器２０は、表示された信号光パターンや参照光パターンに応じて入射したレーザ光を変調して、信号光や参照光を生成する。空間光変調器２０は、生成した信号光や参照光を、レンズ２２側に射出する。
【００４６】
図２（Ａ）は記録時に空間光変調器２０に表示する記録用パターンの一例を示す図である。図２（Ａ）に示すように、記録用パターン４２は、信号光を生成する信号光パターンと、参照光を生成する参照光パターンと、を含んで構成されている。信号光パターンは、空間光変調器２０の中央部分に表示される。参照光パターンは、この信号光パターンを取り囲むように、空間光変調器２０の周辺部分に表示される。
【００４７】
図２（Ｂ）は空間光変調器２０の平面図である。空間光変調器２０は、平面視が矩形状の表示面２０Ａを備えている。表示面２０Ａには、複数の画素部がｘｙ平面に２次元状に配列されている。表示面２０Ａには、信号光パターンを表示する矩形状の信号光領域２０Ｓと、参照光パターンを表示するリング状の参照光領域２０Ｒと、が設けられている。本実施の形態では、信号光領域２０Ｓは、固定配置された固定領域である。一方、参照光領域２０Ｒは、ページ毎にその位置がｘｙ平面上の異なる位置に平行移動（スライド）する可変領域である。なお、信号光領域２０Ｓの形状及び参照光領域２０Ｒの形状は、記録用パターンに応じて適宜変更することができる。
【００４８】
空間光変調器２０の光透過側には、一対のレンズ２２、２６、及び入射した光をフーリエ変換して光記録媒体３０に集光するフーリエ変換レンズ２８が、空間光変調器２０側から光路に沿ってこの順に配置されている。レンズ２２には、空間光変調器２０で生成された信号光や参照光が入射する。レンズ２２とレンズ２６との間には、ビームウエスト近傍に、開口部（アパーチャ）２４Ａを備えた遮光板２４が配置されている。なお、本実施の形態では、遮光板２４は必須ではなく、適宜省略することができる。
【００４９】
フーリエ変換レンズ２８の光出射側には、光記録媒体３０を保持する保持ステージ（図示せず）が設けられている。保持ステージは、制御装置３６に接続された駆動装置（図示せず）により駆動されて、光軸方向又は光軸と垂直な面方向に移動する。保持ステージは、例えば、光記録媒体３０の表面近傍がフーリエ変換レンズ２８の焦点位置となる位置で、光記録媒体３０を保持する。
【００５０】
光記録媒体３０は、光照射による屈折率変化によりホログラムを記録可能な光記録媒体である。このような光記録媒体３０としては、例えば、フォトポリマー材料、フォトリフラクティブ材料、銀塩感光材料等の記録材料を用いた光記録媒体が挙げられる。
【００５１】
光記録媒体３０の光透過側には、フーリエ変換レンズ３２及び光検出器としてのセンサアレイ３４が、光記録媒体３０側から光路に沿ってこの順に配置されている。フーリエ変換レンズ３２は、入射した光を逆フーリエ変換してセンサアレイ３４に結像するフーリエ変換レンズである。センサアレイ３４は、ＣＣＤやＣＭＯＳアレイ等の撮像素子で構成され、受光した再生光（回折光）を電気信号に変換して出力する。また、センサアレイ３４は、制御装置３６に接続されている。センサアレイ３４は、受光面に結像された再生像を撮像し、得られた画像データを制御装置３６に出力する。
【００５２】
（ホログラムの記録動作）
次に、図１に示すホログラム記録再生装置の記録動作について簡単に説明する。
ホログラムを記録する場合には、シャッター１２を開いて、光源１０からレーザ光を照射する。同時に、制御装置３６からデジタルデータを所定のタイミングで出力して、空間光変調器２０に記録用パターン（図２参照）を表示する。光源１０から発振されたレーザ光は、シャッター１２を通過し、１／２波長板１４と偏光板１６とにより光強度や偏光方向が調整される。偏光板１６を通過した光は、ビームエキスパンダ１８により大径の平行光に変換され、空間光変調器２０に照射される。
【００５３】
空間光変調器２０では、表示されたパターンに応じてレーザ光が変調され、信号光と参照光とが生成される。空間光変調器２０で変調された記録光、即ち、信号光と参照光とは、レンズ２２で集光され、遮光板２４に照射される。レンズ２２で集光された記録光は、不要な周波数成分が遮光板２４でカットされ、残部がアパーチャ２４Ａを通過する。アパーチャ２４Ａを通過した記録光は、レンズ２６により平行光に変換され、フーリエ変換レンズ２８によりフーリエ変換されて集光され、光記録媒体３０に同時に且つ同軸で照射される。信号光と参照光とが集光される位置において、信号光と参照光とが干渉して形成された干渉縞が、光記録媒体３０にホログラムとして記録される。
【００５４】
図３（Ａ）〜（Ｃ）は、複数ページを記録する場合にページ毎に表示する記録用パターンの一例を示す図である。本実施の形態の「参照光パターンスライド多重」では、記録するページ毎に参照光領域２０Ｒの位置を変えて、参照光パターンを表示する。即ち、同じ参照光パターンがｘｙ平面上で移動し、記録するページ毎にｘｙ平面上の異なる位置に表示される。参照光パターンの表示位置に応じて、参照光の位相が変調される。ページ毎に位相分布が異なる参照光を用いることで、複数ページのホログラムを同じ位置に多重記録することができる。従って、「スペックル多重」のように、参照光の位相を変調するために参照光パターンを変更する必要はなく、信号光と参照光の強度比も一定に保持される。また、「シフト多重」のように、記録するページ毎に、記録光に対し光記録媒体を相対移動させる必要もない。
【００５５】
例えば、図３（Ａ）に示すように、１ページ目を記録する場合には、固定配置された信号光領域２０Ｓに信号光パターンを表示すると共に、表示面２０Ａの中心点に対し対称となるようにリング状の参照光領域２０Ｒを配置して、この参照光領域２０Ｒに参照光パターンを表示する。図３（Ｂ）に示すように、２ページ目を記録する場合には、固定配置された信号光領域２０Ｓに信号光パターンを表示すると共に、リング状の参照光領域２０Ｒを中心点に対し図面上で左下に移動するようにスライドさせて、左下に移動させた参照光領域２０Ｒに参照光パターンを表示する。図３（Ｃ）に示すように、３ページ目を記録する場合には、固定配置された信号光領域２０Ｓに信号光パターンを表示すると共に、リング状の参照光領域２０Ｒを中心点に対し図面上で右上に移動するようにスライドさせて、右上に移動させた参照光領域２０Ｒに参照光パターンを表示する。
【００５６】
また、「参照光パターンスライド多重」では、再生または記録時に１ページ処理するたびに光記録媒体を記録光に対して相対移動させることなく（媒体非移動で）、ホログラムを記録・再生できるので、再生時や記録時の高速化を狙うこともできる。
【００５７】
ここで、図４（Ａ）及び（Ｂ）を参照して、参照光パターンの表示位置に応じて参照光の位相が変調される理由について説明する。図４（Ａ）に示すように、信号光領域２０Ｓの位置を固定したままで、参照光領域２０Ｒをｘ軸方向に距離ａ、ｙ軸方向に距離ｂ移動させたとする。これにより、参照光パターンｒ（ｘ，ｙ）は、ｘ軸方向に距離ａだけシフトし、ｙ軸方向に距離ｂだけシフトする。
【００５８】
図４（Ｂ）に示すように、参照光パターンに基づいて生成された参照光は、フーリエ変換レンズ２８によりフーリエ変換される。ωｘωｙ平面で表されるフーリエ変換面には、フーリエ変換像が結像される。例えば、参照光パターンとして、チェッカーパターンのような周期的パターンを用いた場合には、参照光のフーリエ変換像は、参照光の周期性に起因した回折パターンとなり、０次〜ｎ次の回折成分を有している。ここでの次数とは、フーリエ変換レンズの焦点距離をｆs、記録波長をλ、信号光を生成した空間光変調器の画素ピッチをｄ／２とした場合に、ωｘ軸とωｙ軸の交点である０次からζ＝ｆsλ／ｄの距離ごとに現れる輝点の順位のことである。
【００５９】
パターンｒ（ｘ，ｙ）の参照光をフーリエ変換したときのフーリエ変換像Ｆ[ｒ（ｘ，ｙ）]は、ｘ軸方向の空間周波数をμ、ｙ軸方向の空間周波数をνとして、下記式（１）で表される。
【数１】
0004992786.tif 000002
【００６０】
上述した通り、参照光パターンの表示位置のずれ量（シフト量）を、ｘ軸方向にａ、ｙ軸方向にｂとする。実空間におけるシフトが周波数空間における位相シフトと等価であるとするフーリエ変換のシフト定理により、０次〜ｎ次の回折成分を有するフーリエ変換像の場合には、以下の関係式（２）が成立する。空間周波数μ、νは、次数に応じて複数存在する。この場合、ｘ軸方向の空間周波数はμ１〜μｎのｎ個であり、ｙ軸方向の空間周波数はν１〜νｎのｎ個である。参照光パターンのランダム性が高くなるほど、高次の回折成分が増加する。
【００６１】
【数２】
0004992786.tif 000003
【００６２】
０次〜１次の回折成分を有するフーリエ変換像とした場合（ｉ＝１）、上記式（２）から、参照光パターンがｘ軸方向にａ、ｙ軸方向にｂずれたとき、参照光の１次の回折成分の位相は｜２π（μ１ａ＋ν１ｂ）｜だけずれることが分かる。位相のずれ量は、距離ａ、ｂと共に、空間周波数μ１とν１にも依存する。従って、参照光パターンに含まれる空間周波数成分が複数あるときには、ずれ量ａ、ｂが一定であっても、空間周波数成分によって、変化する位相量が異なることになる。また、参照光の０次の回折成分では、μ０＝０かつν０＝０、であるから、ずれ量ａ、ｂによらず位相は変化しない。なお、強度分布は、振幅成分Ｒ（μ、ν）の二乗で表され、略一定である。
【００６３】
その結果、参照光パターンの表示位置をずらすと、表示位置をずらす前の参照光パターンから生成する参照光との位相相関が低い、別の参照光が生成する。この位相相関の低い参照光を用いて、十分小さなクロストークで、複数ページのホログラムを光記録媒体の同じ位置に多重記録することができる。なお、図４（Ｂ）では、０次〜２次の回折成分を図示している。点線で囲った範囲には０次〜１次の回折成分が存在する。
【００６４】
（ホログラムの再生動作）
光記録媒体３０に記録されたホログラムから信号光を再生する場合には、シャッター１２を開いて、光源１０からレーザ光を照射する。同時に、制御装置３６から参照光パターンを表示するためのデジタルデータを所定のタイミングで出力して、参照光だけが光記録媒体３０に照射されるように、空間光変調器２０の記録時と同じ位置に参照光領域２０Ｒを配置し、参照光領域２０Ｒに記録時と同じ参照光パターンを表示する。
【００６５】
図５（Ａ）〜（Ｃ）は、「参照光パターンスライド多重」で記録された各ページを再生するときに表示する再生用パターンの一例を示す図である。図３（Ａ）に示したように、１ページ目を記録する場合には、表示面２０Ａの中心点に対し対称となるようにリング状の参照光領域２０Ｒを配置して、この参照光領域２０Ｒに参照光パターンを表示した。この参照光パターンから生成した参照光を用いて記録された１ページ目を再生する場合には、図５（Ａ）に示すように、図３（Ａ）と同じ位置に参照光領域２０Ｒを配置して、この参照光領域２０Ｒに記録時と同じ参照光パターンを表示する。
【００６６】
同様に、図５（Ｂ）に示すように、２ページ目を再生する場合には、図３（Ｂ）と同じ位置に参照光領域２０Ｒを配置して、この参照光領域２０Ｒに記録時と同じ参照光パターンを表示する。また、図５（Ｃ）に示すように、３ページ目を再生する場合には、図３（Ｃ）と同じ位置に参照光領域２０Ｒを配置して、この参照光領域２０Ｒに記録時と同じ参照光パターンを表示する。このようにして、「参照光パターンスライド多重」で多重記録された複数ページの各々を、別々に再生することができる。
【００６７】
光源１０から発振されたレーザ光は、記録の場合と同様にして、空間光変調器２０に入射する。空間光変調器２０では、表示されたパターンに応じてレーザ光が変調され、参照光が生成される。生成された参照光は、記録の場合と同様にして、光記録媒体３０のホログラムが記録された領域に照射される。即ち、光記録媒体３０には、参照光だけが読出し光として照射される。
【００６８】
照射された参照光は、光記録媒体３０を透過するときに、ホログラムによって回折され、透過回折光（再生信号光）がフーリエ変換レンズ３２側に射出される。一部の参照光は回折されずに光記録媒体３０を透過する。光記録媒体３０から射出された再生信号光と透過参照光とは、フーリエ変換レンズ３２により逆フーリエ変換されて、センサアレイ３４に入射する。
【００６９】
センサアレイ３４は、受光した再生光（回折光）を電気信号に変換して出力する。即ち、センサアレイ３４は、受光面に結像された再生像を撮像し、得られた画像データを制御装置３６に出力する。制御装置３６では、入力された画像データに基づいて、信号光に重畳されたデジタルデータが復号される。なお、センサアレイ３４では、信号光データの１画素を複数の受光素子により受光する、オーバーサンプリングを実施することが好ましい。例えば、１ビットのデータを４個（２×２）の受光素子により受光する。
【００７０】
＜第２の実施の形態＞
第２の実施の形態では、参照光パターンの表示位置に応じて位相が変調された参照光から直流成分を除去して、「参照光パターンスライド多重」により複数ページのホログラムを多重記録する場合について説明する。
【００７１】
（ホログラム記録再生装置）
図６は第２の実施の形態に係るホログラム記録再生装置の構成を示す概略図である。このホログラム記録再生装置は、周波数空間で参照光の直流成分を除去する「除去素子」としてマスク４４を設けた以外は、図１に示した第１の実施の形態に係るホログラム記録再生装置と同じ構成であるため、同じ構成部分には同じ符号を付して説明を省略する。
【００７２】
マスク４４は、レンズ２２により参照光が集光される位置に配置されている。図６に示す例では、マスク４４は、遮光板２４のアパーチャ２４Ａの近傍に配置されている。また、マスク４４は、制御装置３６に接続された駆動装置４６により駆動されて、参照光の光路に対し挿入又は光路から退避が可能に構成されている。マスク４４としては、直流成分を選択的に反射する反射ミラー、直流成分を選択的に吸収する吸収部材、直流成分を選択的に減衰させるＮＤフィルタ等を用いることができる。
【００７３】
（ホログラムの記録動作）
ホログラムを記録する場合には、制御装置３６により駆動装置４６を制御してマスク４４を駆動し、マスク４４を参照光の光路に対し挿入する。また、シャッター１２を開いて、光源１０からレーザ光を照射する。同時に、制御装置３６からデジタルデータを所定のタイミングで出力して、空間光変調器２０に記録用パターン（図２参照）を表示する。
【００７４】
光源１０から発振されたレーザ光は、第１の実施の形態と同様にして、空間光変調器２０に入射する。空間光変調器２０では、表示されたパターンに応じてレーザ光が変調され、信号光と参照光とが生成される。空間光変調器２０で変調された記録光、即ち、信号光と参照光とは、レンズ２２で集光され、遮光板２４及びマスク４４に照射される。レンズ２２で集光された記録光は、不要な周波数成分が遮光板２４でカットされ、直流成分がマスク４４で除去されて、残部がアパーチャ２４Ａを通過する。
【００７５】
アパーチャ２４Ａを通過した記録光は、レンズ２６により平行光に変換され、フーリエ変換レンズ２８によりフーリエ変換されて集光され、光記録媒体３０に同時に且つ同軸で照射される。信号光と参照光とが集光される位置において、信号光と参照光とが干渉して形成された干渉縞が、光記録媒体３０にホログラムとして記録される。
【００７６】
参照光パターンの表示位置を変えて得られた位相の異なる参照光は、０次回折成分は位相がずれないために、共通の直流成分を有している。この共通の直流成分はクロストークの原因となる。参照光間にクロストークがあると、記録時にはノイズ・グレーティングが形成される。また、再生時には再生像のＳ／Ｎを劣化させることになる。従って、このクロストークを抑制するために、記録時に参照光の直流成分を除去することが望ましい。
【００７７】
（ホログラムの再生動作）
光記録媒体３０に記録されたホログラムから元の信号光を再生する場合には、制御装置３６により駆動装置４６を制御してマスク４４を駆動し、マスク４４を参照光の光路から退避させる。また、再生された回折光に直流成分を補うための表示画像の輝度値を予め演算して、制御装置３６の記憶部（図示せず）に記憶しておく。再生時には、シャッター１２を開いて、光源１０からレーザ光を照射する。
【００７８】
再生時には、シャッター１２を開いて、光源１０からレーザ光を照射する。同時に、制御装置３６から参照光パターンを表示するためのデジタルデータを所定のタイミングで出力する。また、制御装置３６から演算された輝度値を所定のタイミングで出力する。空間光変調器２０の記録時と同じ位置に参照光領域２０Ｒを配置し、参照光領域２０Ｒに記録時と同じ参照光パターンを表示する。また、空間光変調器２０の記録時と同じ位置に信号光領域２０Ｓを配置し、信号光領域２０Ｓに演算された輝度値を有する透過パターンを表示する。透過パターンにおいて、各画素の輝度値は一定である。
【００７９】
例えば、図７（Ａ）に示すように、記録時に、固定配置された信号光領域２０Ｓに信号光パターンを表示すると共に、表示面２０Ａの中心点に対し対称となるようにリング状の参照光領域２０Ｒを配置して、この参照光領域２０Ｒに参照光パターンを表示する（記録時のパターン例１）。この場合、再生時には、図７（Ｂ）に示すように、固定配置された信号光領域２０Ｓに透過パターンを表示すると共に、記録時と同じ位置にリング状の参照光領域２０Ｒを配置して、この参照光領域２０Ｒに記録時と同じ参照光パターンを表示する（再生時のパターン例１）。
【００８０】
また、図７（Ｃ）に示すように、記録時に、固定配置された信号光領域２０Ｓに信号光パターンを表示すると共に、リング状の参照光領域２０Ｒを中心点に対し図面上で右上に移動するようにスライドさせて、右上に移動させた参照光領域２０Ｒに参照光パターンを表示する（記録時のパターン例２）。この場合、再生時には、図７（Ｄ）に示すように、固定配置された信号光領域２０Ｓに透過パターンを表示すると共に、記録時と同じ位置にリング状の参照光領域２０Ｒを配置して、この参照光領域２０Ｒに記録時と同じ参照光パターンを表示する（再生時のパターン例２）。
【００８１】
光源１０から発振されたレーザ光は、記録の場合と同様にして、空間光変調器２０に入射する。空間光変調器２０では、表示されたパターンに応じてレーザ光が変調され、参照光と付与される直流成分とが生成される。生成された参照光と付与される直流成分とは、記録の場合と同様にして、光記録媒体３０のホログラムが記録された領域に照射される。即ち、光記録媒体３０には、参照光と付与された直流成分とが読出し光として照射される。
【００８２】
照射された参照光は、光記録媒体３０を透過するときに、ホログラムによって回折され、透過回折光がフーリエ変換レンズ３２側に射出される。付与された直流成分は回折されずに光記録媒体３０を透過する。元の信号光パターンの再生は、ホログラムからの回折光と付与された直流成分との干渉の結果として実現される。即ち、干渉波（合成光）の振幅が増加するように、又はホログラムからの回折光の位相と付与された直流成分の位相が整合（位相差＝０あるいはπ）するように、回折光と直流成分との位相差を設定することで、元の信号光パターンを反映した画像が再生される。ポジティブな再生像を得る場合には、位相差＝０にし、ネガティブな再生像を得る場合には、位相差＝πにする。直流成分の位相の設定は、空間光変調器２０の信号光用画素の輝度値を適宜変更することにより行うことができる。
【００８３】
ホログラムからの回折光と付与された直流成分とは、フーリエ変換レンズ３２により逆フーリエ変換されて、センサアレイ３４に入射する。フーリエ変換レンズ３２の焦点面では再生像を観察することができる。本実施の形態では、ホログラムの記録時に除去された直流成分が回折光に付与されるので、元の信号光と同じ成分の回折光が復元され、元の信号光パターン（ポジティブ画像）が再生される。
【００８４】
なお、透過パターンの輝度値の演算は、以下の手順で行う。ホログラムからの回折光の位相は、再生時の参照光の位相からずれ、そのずれ量は、ホログラムの種類によって決まる。使用する記録材料によってホログラムの種類は既知であるため、位相のずれ量は既知である。さらに、空間光変調器２０の画素の輝度と生成される位相変調量とも既知である。従って、回折光の位相のずれ量と、付与される直流成分に付与する位相変調量との差が、以下の条件を満たすように、透過パターンの輝度値を設定する。
【００８５】
即ち、ホログラムからの再生像は、センサアレイ３４により検出される。センサアレイ３４の結像面のある位置ｒにおいて回折光の振幅が極大となる、ある時刻ｔの位相をφとする。その時刻ｔ、位置ｒにおける直流成分の振幅、位相をそれぞれＡ、θとする。再生像としてポジティブ画像を得る（元の信号光を復元する）には、合成光の振幅をプラスの方向に移動させればよい。そのためには、直流成分の振幅Ａがプラスになるように、即ち、下記式（３）を満たすようにθを設定する。
【００８６】
【数３】
0004992786.tif 000004
【００８７】
下記式（４）を満たすようにθを設定することがより望ましい。この条件下では、回折光の振幅の極大と直流成分の振幅の極大とが一致し、合成光の正の振幅が最大となる。
【００８８】
【数４】
0004992786.tif 000005
【００８９】
＜第３の実施の形態＞
第３の実施の形態では、参照光パターンの表示位置に応じて位相が変調された参照光に含まれる直流成分を拡散させて、「参照光パターンスライド多重」により複数ページのホログラムを多重記録する場合について説明する。
【００９０】
（ホログラム記録再生装置）
図８は第３の実施の形態に係るホログラム記録再生装置の構成を示す概略図である。このホログラム記録再生装置は、実空間で参照光に位相分布を付与して直流成分を拡散させる「位相調整素子」として位相マスク４８を設けた以外は、図１に示した第１の実施の形態に係るホログラム記録再生装置と同じ構成であるため、同じ構成部分には同じ符号を付して説明を省略する。
【００９１】
位相マスク４８は、レンズ２６とフーリエ変換レンズ２８との間の焦平面（焦点面）に配置されている。位相マスク４８としては、空間的にランダムな位相ずれを生じさせるランダム位相マスク等の位相変調フィルタを用いることができる。
【００９２】
（ホログラムの記録動作）
ホログラムを記録する場合には、シャッター１２を開いて、光源１０からレーザ光を照射する。同時に、制御装置３６からデジタルデータを所定のタイミングで出力して、空間光変調器２０に記録用パターンを表示する。
【００９３】
光源１０から発振されたレーザ光は、第１の実施の形態と同様にして、空間光変調器２０に入射する。空間光変調器２０では、表示されたパターンに応じてレーザ光が変調され、信号光と参照光とが生成される。空間光変調器２０で変調された記録光、即ち、信号光と参照光とは、レンズ２２で集光され、遮光板２４に照射される。レンズ２２で集光された記録光は、不要な周波数成分が遮光板２４でカットされ、残部がアパーチャ２４Ａを通過する。
【００９４】
アパーチャ２４Ａを通過した記録光は、レンズ２６により平行光に変換され、位相マスク４８を通過して位相変調される。位相マスク４８を通過した記録光、即ち、信号光と参照光とは、フーリエ変換レンズ２８によりフーリエ変換されて集光され、光記録媒体３０に同時に且つ同軸で照射される。信号光と参照光とが集光される位置において、信号光と参照光とが干渉して形成された干渉縞が、光記録媒体３０にホログラムとして記録される。
【００９５】
「参照光パターンスライド多重」では、記録するページ毎に空間光変調器２０での参照光パターンの表示位置が異なるため、参照光が通過する位相マスク４８の位置もページ毎に異なる。従って、位相マスク４８によって拡散される直流成分もページ毎に異なる。よって、位相マスク４８で直流成分を拡散させることで、光記録媒体３０に対し０次回折成分が照射される位置も変化し、十分に低いクロストークで多重記録を実現できる。記録時に直流成分を除去する必要はない。また、位相マスク４８による位相変調によって、信号光と参照光との重なりが改善されると共に、記録光の光強度分布が均一化され、光記録媒体のダイナミックレンジを有効に活用することができる。
【００９６】
（ホログラムの再生動作）
光記録媒体３０に記録されたホログラムから信号光を再生する場合には、シャッター１２を開いて、光源１０からレーザ光を照射する。同時に、制御装置３６から参照光パターンを表示するためのデジタルデータを所定のタイミングで出力して、参照光だけが光記録媒体３０に照射されるように、空間光変調器２０の記録時と同じ位置に参照光領域２０Ｒを配置し、参照光領域２０Ｒに記録時と同じ参照光パターンを表示する。
【００９７】
光源１０から発振されたレーザ光は、第１の実施の形態と同様にして、空間光変調器２０に入射する。空間光変調器２０では、表示されたパターンに応じてレーザ光が変調され、参照光が生成される。生成された参照光は、レンズ２２で集光され、遮光板２４に照射される。レンズ２２で集光された参照光は、不要な周波数成分が遮光板２４でカットされ、残部がアパーチャ２４Ａを通過する。
【００９８】
アパーチャ２４Ａを通過した参照光は、レンズ２６により平行光に変換され、位相マスク４８で位相変調される。位相マスク４８で位相変調された光は、フーリエ変換レンズ２８によりフーリエ変換されて集光され、第１の実施の形態と同様にして、光記録媒体３０のホログラムが記録された領域に照射される。即ち、光記録媒体３０には、参照光だけが読出し光として照射される。
【００９９】
照射された参照光は、光記録媒体３０を透過するときに、ホログラムによって回折され、透過回折光（再生光）がフーリエ変換レンズ３２側に射出される。光記録媒体３０から射出された再生光は、フーリエ変換レンズ３２により逆フーリエ変換されて、センサアレイ３４に入射する。こうして、ホログラムからの再生像は、センサアレイ３４により検出される。
【０１００】
なお、第１〜第３の実施の形態では「参照光パターンスライド多重」を媒体非移動で行う好適な実施の形態について説明するが、参照光パターンの表示位置を変えると共に、記録光に対し光記録媒体を相対移動させて、複数ページのホログラムを異なる位置に多重記録してもよい。
【０１０１】
＜第４の実施の形態＞
第４の実施の形態では、コリニア方式において、空間光変調器における参照光パターンの表示位置に応じて位相が変調された参照光を利用して、液晶型の空間光変調器を使用する場合に限定されることなく、１枚のホログラムからポジティブ画像及びネガティブ画像の２つの再生像が得られるように、ホログラムを記録し再生する記録再生方式について説明する。
【０１０２】
（ホログラム記録再生装置）
第４の実施の形態に係るホログラム記録再生装置は、遮光板２４のアパーチャ２４Ａの開口径を制御した以外は、図１に示した第１の実施の形態に係るホログラム記録再生装置と同じ構成であるため、異なる構成部分以外は説明を省略する。
【０１０３】
遮光板２４のアパーチャ２４Ａは、図４（Ｂ）に示したフーリエ変換像のうち、０次及び１次の回折成分（点線で囲んだ部分）を透過し、２次以上の回折成分を遮蔽するように、所定の開口径で形成されている。２次以上の回折成分を遮蔽することで、光記録媒体３０には、０次及び１次の回折成分だけが照射される。ｘ軸方向の空間周波数μとｙ軸方向の空間周波数νは各々１種類となり、後述する通り、参照光と付与される直流成分との位相差の制御が容易になる。また、記録領域も小さくなり、記録密度が向上する。
【０１０４】
（ホログラムの記録動作）
ホログラムを記録する場合には、空間光変調器２０には記録用パターンを表示する。例えば、図９（Ａ）に示すように、固定配置された信号光領域２０Ｓに信号光パターンを表示すると共に、表示面２０Ａの中心点に対し対称となるようにリング状の参照光領域２０Ｒを配置して、この参照光領域２０Ｒに参照光パターンを表示する。参照光の０次及び１次の回折成分しか使用しないので、参照光パターンとしては、チェッカーパターンのような周期的パターンを用いることが好ましい。
【０１０５】
第１の実施の形態と同様にして、レーザ光を空間光変調器２０に照射する。空間光変調器２０では、表示された記録用パターンに応じてレーザ光が変調され、信号光と参照光とが生成される。空間光変調器２０で変調された記録光、即ち、信号光と参照光とは、レンズ２２で集光され、遮光板２４に照射される。レンズ２２で集光された記録光は、２次以上の回折光成分が遮光板２４でカットされ、０次及び１次の回折成分がアパーチャ２４Ａを通過する。
【０１０６】
アパーチャ２４Ａを通過した記録光は、レンズ２６により平行光に変換され、フーリエ変換レンズ２８によりフーリエ変換されて集光され、光記録媒体３０に同時に且つ同軸で照射される。信号光と参照光とが集光される位置において、信号光と参照光とが干渉して形成された干渉縞が、光記録媒体３０にホログラムとして記録される。
【０１０７】
（ホログラムの再生動作）
本実施の形態では、記録された１枚のフーリエ変換ホログラムから、ポジティブ画像及びネガティブ画像の２枚の再生像を検出する。まず、元の信号光パターンと同じポジティブ画像を再生する場合には、シャッター１２を開いて、光源１０からレーザ光を照射する。同時に、制御装置３６から参照光パターンを表示するためのデジタルデータを所定のタイミングで出力して、図９（Ｂ）に示すように、参照光だけが光記録媒体３０に照射されるように、空間光変調器２０の記録時と同じ位置に参照光領域２０Ｒを配置し、参照光領域２０Ｒに記録時と同じ参照光パターンを表示する。
【０１０８】
光源１０から発振されたレーザ光は、第１の実施の形態と同様にして、空間光変調器２０に入射する。空間光変調器２０では、表示されたパターンに応じてレーザ光が変調され、参照光が生成される。空間光変調器２０で変調されて生成された参照光は、レンズ２２で集光され、０次及び１次の回折成分だけがアパーチャ２４Ａを通過して、レンズ２６により平行光に変換される。レンズ２６により平行光に変換された参照光は、フーリエ変換レンズ２８によりフーリエ変換されて集光され、光記録媒体３０に照射される。即ち、光記録媒体３０には、参照光だけが読出し光として照射される。
【０１０９】
光記録媒体３０に照射された参照光は、光記録媒体３０を透過するときに、ホログラムによって回折され、透過回折光（再生光）がレンズ３２側に射出される。光記録媒体３０から射出された再生光は、レンズ３２により平行光とされ、センサアレイ３４の表面に結像される。センサアレイ３４には、記録時に空間光変調器２０に表示した元の信号光パターン、即ち、元の信号光パターンのポジティブ画像（以下、「ポジ画像」という。）が結像される。センサアレイ３４が、この再生光を検出して、第１再生像（ポジ画像）が取得される。
【０１１０】
次に、元の信号光パターンが反転したネガティブ画像を再生する場合には、シャッター１２を開いて、光源１０からレーザ光を照射する。同時に、制御装置３６から参照光パターンを表示するためのデジタルデータを所定のタイミングで出力して、図９（Ｃ）に示すように、空間光変調器２０のリング状の参照光領域２０Ｒを中心点に対し図面上で右上に移動するようにスライドさせて、右上に移動させた参照光領域２０Ｒに参照光パターンを表示する。
【０１１１】
例えば、光記録媒体３０をフォトポリマーで構成し、参照光パターンの表示位置のずれ量（シフト量）を、図４（Ａ）に示すように、ｘ軸方向にａ、ｙ軸方向にｂとした場合について説明する。この場合は、ポジ画像の再生に用いた参照光との位相ずれ量が、｜２π（μａ＋νｂ）｜＝π／２となるように、参照光パターンの表示位置をずらす。また、同時に、固定配置された信号光領域２０Ｓに、所定の輝度値を有する透過パターンを表示する。透過パターンにおいて、各画素の輝度値は一定である。
【０１１２】
光源１０から発振されたレーザ光は、第１の実施の形態と同様にして、空間光変調器２０に入射する。空間光変調器２０では、表示されたパターンに応じてレーザ光が変調され、参照光と付与される直流成分とが生成される。生成された参照光と付与される直流成分とは、レンズ２２で集光され、０次及び１次の回折成分だけがアパーチャ２４Ａを通過して、レンズ２６により平行光に変換される。レンズ２６により平行光に変換された参照光は、フーリエ変換レンズ２８によりフーリエ変換されて集光され、光記録媒体３０のホログラムが記録された領域に照射される。即ち、光記録媒体３０には、参照光と付与された直流成分とが読出し光として照射される。
【０１１３】
光記録媒体３０に照射された参照光は、光記録媒体３０を透過するときに、ホログラムによって回折され、透過回折光（再生光）がフーリエ変換レンズ３２側に射出される。付与された直流成分は回折されずに光記録媒体３０を透過する。元の信号光パターンの反転画像の再生は、ホログラムからの回折光と付与された直流成分との逆位相による干渉の結果として実現される。即ち、ホログラムからの回折光と付与された直流成分とが逆位相で干渉するように、回折光と直流成分との位相差を設定することで、元の信号光パターンの反転画像が再生される。直流成分の位相の設定は、空間光変調器２０の信号光用画素の輝度値を適宜変更することにより行うことができる。
【０１１４】
ホログラムからの回折光と付与された直流成分とは、フーリエ変換レンズ３２により逆フーリエ変換されて、センサアレイ３４に入射する。センサアレイ３４には、記録時に空間光変調器２０に表示した元の信号光パターンの反転パターン、即ち、元の信号光パターンのネガティブ画像（以下、「ネガ画像」という。）が結像される。センサアレイ３４が、この再生光を検出して、第２再生像（ネガ画像）が取得される。
【０１１５】
以上の通り、本実施の形態では、１枚のフーリエ変換ホログラムから、ポジ画像とネガ画像の２枚の再生像を検出することができる。なお、センサアレイ３４は、検出した再生信号光を電気信号に変換して制御装置３６に出力する。即ち、センサアレイ３４は、検出されたアナログデータをＡ／Ｄ変換して、第１再生像の画像データと第２再生像の画像データとを制御装置３６に出力する。第１再生像の画像データ、第２再生像の画像データは、制御装置３６のＲＡＭ等の記憶部に保持される。
【０１１６】
（ネガ画像生成の原理）
ここで、図９（Ｃ）に示すように、空間光変調器２０のリング状の参照光領域２０Ｒを移動させて、移動させた参照光領域２０Ｒに参照光パターンを表示すると共に、固定配置された信号光領域２０Ｓに、所定の輝度値を有する透過パターンを表示することで、ネガ画像が得られる理由について説明する。
【０１１７】
付与する直流成分と参照光との位相差は、参照光パターンの表示位置を変えることで制御できる。本実施の形態では、ｘ軸方向の空間周波数μとｙ軸方向の空間周波数νは各々１種類である。参照光パターンの表示位置のずれ量（シフト量）を、図４（Ａ）に示すように、ｘ軸方向にａ、ｙ軸方向にｂとした場合に、ポジ画像の再生に用いた参照光との位相ずれ量は｜２π（μａ＋νｂ）｜となる。
【０１１８】
一方、付与する直流成分を表示する位置は不変である。また、直流成分の位相は一定である。従って、参照光パターンの表示位置を変えることで、付与する直流成分と参照光との位相差を制御できる。これは次のことを意味する。即ち、再生像を形成するホログラムからの出射光に含まれる直流成分と高次成分との位相差を、参照光パターンの表示位置によって制御できる。
【０１１９】
上述した通り、ホログラムからの回折光の位相は、再生時に使用した参照光の位相からずれる。そのずれ量は、ホログラムの種類によって決まる。使用する記録材料によってホログラムの種類は既知であるため、位相のずれ量は既知である。以下では、フォトポリマーを光記録媒体３０に用いた場合で説明する。
【０１２０】
ポジ画像の再生に用いた参照光との位相ずれ量が、｜２π（μａ＋νｂ）｜＝π／２を満たすように、参照光パターンの表示位置を変化させたとする。この参照光によりホログラムから高次成分の回折光が出射する。フォトポリマーを用いた場合には、Ｃｏｕｐｌｅｄ  ｗａｖｅ理論によると、ホログラムからの回折の際、この回折光にπ／２だけ位相シフトが起こる。一方、付与された直流成分はホログラムを透過するのみである。従って、付与された直流成分とホログラムから回折された高次成分との位相差はπとなる。即ち、付与された直流成分とホログラムから回折された高次成分は、互いに逆位相である。これにより、再生像は反転画像となる。
【０１２１】
上記の例では、光記録媒体３０にフォトポリマーを用いたため、回折で付与される位相シフトはπ／２としたが、どのような種類のホログラムであっても、付与された直流成分とホログラムから回折された高次成分との位相差がπとなるように、参照光パターンの表示位置を選択することで、反転画像を再生することができる。
【０１２２】
（データの復号処理）
次に、第１再生像、第２再生像の画像データから、再生された信号光に重畳されたデジタルデータを復号する「復号処理」について説明する。この処理は、制御装置３６によって実行される。上述した通り、制御装置３６には、第１再生像の画像データと第２再生像の画像データとが入力されて、保持されている。これら２つの画像データを用いて、信号光パターンの各画素について輝度の差分を演算する。差分を演算することで、両画像データに共通するノイズが相殺される。演算された差分値（正負）により、各画素の符号が正確に判定され、元のデジタルデータが高いＳＮＲで復号される。また、元のデジタルデータが高いＳＮＲで復号されると、ビットエラーレート（ＢＥＲ）も低下する。
【０１２３】
例えば、二値のデジタルデータ「１、０」が「明、暗」で表現された信号光パターンである場合には、第１再生像（ポジ画像）の画像データから第２再生像（ネガ画像）の画像データを減算処理して、信号光パターン（明暗画像）の各画素について輝度の差分を演算する。第２再生像（ネガ画像）は、元の明暗画像の反転画像であり、元の明暗画像の明部は暗く、暗部は明るくなっている。従って、第１再生像（ポジ画像）の輝度から第２再生像（ネガ画像）の輝度を減じたときの差分値は、元の明暗画像の明部では正となり、元の明暗画像の暗部では負となる。演算された差分値の符号「正、負」を「１、０」として復号すると、元のデジタルデータを高いＳＮＲで復号することができる。
【０１２４】
また、第１再生像（ポジ画像）の画像データから第２再生像（ネガ画像）の画像データを減算処理して第３再生像（ポジ画像）を生成し、この第３再生像を用いて復号処理を行うこともできる。演算された差分値の符号「正、負」を「明、暗」として、第３再生像（ポジ画像）を生成すると、減算処理して得られた第３再生像では、第１再生像、第２再生像の各々よりもコントラストが強調されることになる。この第３再生像（ポジ画像）を用いれば、元のデジタルデータを高いＳＮＲで復号することができる。
【０１２５】
また、上記の例では、第１再生像（ポジ画像）の画像データから第２再生像（ネガ画像）の画像データを減算処理する例について説明したが、それとは逆に、第２再生像（ネガ画像）の画像データから第１再生像（ポジ画像）の画像データを減算処理して、輝度の差分値を演算することもできる。輝度の差分値は、元の明暗画像の明部では負となり、元の明暗画像の暗部では正となる。演算された差分値の符号「正、負」を「０、１」として復号すると、元のデジタルデータを高いＳＮＲで復号することができる。或いは、演算された差分値の符号「正、負」を「暗、明」として第３再生像（ポジ画像）を生成し、第３再生像を用いて、元のデジタルデータを高いＳＮＲで復号することができる。
【０１２６】
また、上述したオーバーサンプリングを実施している場合には、信号光用データの１つの画素がセンサアレイの複数画素（複数の受光素子）に対応しているので、信号光用データの１画素毎に輝度の差分値を演算する。即ち、対応するセンサアレイの複数画素について、輝度の差分値の平均値を演算する。
【０１２７】
＜第５の実施の形態＞
第５の実施の形態では、コリニア方式において、反射型液晶パネル（ＬＣＯＳ：Liquid Crystal on Silicon）、デジタル・マイクロミラー・デバイス（ＤＭＤ）等の反射型の空間光変調器を用い、この空間光変調器における参照光パターンの表示位置に応じて位相が変調された参照光を利用して、１枚のホログラムからポジティブ画像及びネガティブ画像の２つの再生像が得られるように、ホログラムを記録し再生する記録再生方式について説明する。
【０１２８】
（ホログラム記録再生装置）
図１０は第５の実施の形態に係るホログラム記録再生装置の構成を示す概略図である。このホログラム記録再生装置は、光軸を共通とする信号光と参照光とを、同じ方向から１光束の記録光として光記録媒体に照射する「同軸記録方式（コリニア方式）」のホログラム記録再生装置である。本実施の形態では、反射型の空間光変調器（ＳＬＭ）と反射型の光記録媒体とを用いる「同軸反射型」のホログラム記録再生装置について説明する。
【０１２９】
このホログラム記録再生装置には、Ｓ偏光のコヒーレント光であるレーザ光を発振する光源５０が設けられている。光源５０のレーザ光出射側には、光路に対し挿入又は退避（開閉）が可能なシャッター５２、直交する直線偏光成分間に１／２波長の光路差を与える１／２波長板５４、所定の偏光方向の光を通過させる偏光板５６、拡大・コリメート光学系であるビームエキスパンダ５８、及び所定方向の偏光だけを透過すると共にそれ以外の偏光を反射する偏光ビームスプリッタ６０が、光源５０の側から光路に沿ってこの順に配置されている。以下では、偏光ビームスプリッタ６０は、Ｐ偏光を透過し且つＳ偏光を反射するものとして説明する。
【０１３０】
光源５０は、駆動装置８４により駆動されて発振する。駆動装置８４は、ＣＰＵ、ＲＯＭ、ＲＡＭ、記憶装置などを備えたパーソナルコンピュータ等で構成された制御装置８２に接続され、制御装置８２により制御されている。また、シャッター５２は、制御装置８２に接続された駆動装置８４により駆動されて開閉する。
【０１３１】
ビームエキスパンダ５８から見て、偏光ビームスプリッタ６０の光反射側には、画素毎に入射光を変調する反射型の空間光変調器６２が配置されている。反射型の空間光変調器６２としては、ＬＣＯＳやＤＭＤ等を用いることができる。図１０では、空間光変調器６２としてＬＣＯＳを使用している場合を図示している。なお、空間光変調器としてＤＭＤを利用する場合は、ＤＭＤ反射面の斜め方向から光を入射し、その反射光を直接レンズ６６に入射させる。従って、ＤＭＤを用いる場合には、偏光ビームスプリッタ６０や後述する１／４波長板６４を配置する必要がない。空間光変調器６２は、パターン発生器（図示せず）を介して制御装置８２に接続されている。
【０１３２】
パターン発生器は、制御装置８２から供給されたデジタルデータを明暗画像で表して、空間光変調器６２に表示する信号光パターン及び参照光パターンを生成する。信号光パターンは、例えば、二値のデジタルデータ「０，１」が「暗（黒画素）、明（白画素）」で表現されたデジタルパターン等である。参照光パターンは、例えば、ランダムパターン、チェッカーパターン等、複数の空間周波数成分を有するパターンである。空間光変調器６２は、表示された信号光パターンや参照光パターンに応じて入射したレーザ光を変調して、信号光や参照光を生成する。
【０１３３】
空間光変調器６２は、図２（Ｂ）に示した第１の実施の形態の透過型の空間光変調器２０と同様に、平面視が矩形状の表示面２０Ａを備えている。表示面２０Ａには、複数の画素部がｘｙ平面に２次元状に配列されている。表示面２０Ａには、信号光パターンを表示する矩形状の信号光領域２０Ｓと、参照光パターンを表示するリング状の参照光領域２０Ｒと、が設けられている。本実施の形態でも、第１の実施の形態と同様に、信号光領域２０Ｓは、固定配置された固定領域である。一方、参照光領域２０Ｒは、ページ毎にその位置がｘｙ平面上の異なる位置に平行移動（スライド）する可変領域である。
【０１３４】
空間光変調器６２で生成された信号光と参照光とは、偏光ビームスプリッタ６０の方向に反射され、偏光ビームスプリッタ６０を透過する。空間光変調器６２から見て、偏光ビームスプリッタ６０の光透過側には、直線偏光を円偏光に又は円偏光を直線偏光に変換する１/４波長板６４、レンズ６６、７０、及びフーリエ変換レンズ７２が、光路に沿ってこの順に配置されている。また、レンズ６６とレンズ７０との間には、ビームウエスト近傍に、開口部（アパーチャ）６８Ａを備えた遮光板６８が配置されている。
【０１３５】
遮光板６８のアパーチャ６８Ａは、図４（Ｂ）に示したフーリエ変換像のうち、０次及び１次の回折成分（点線で囲んだ部分）を透過し、２次以上の回折成分を遮蔽するように、所定の開口径で形成されている。２次以上の回折成分を遮蔽することで、光記録媒体７４には、０次及び１次の回折成分だけが照射される。ｘ軸方向の空間周波数μとｙ軸方向の空間周波数νは各々１種類となり、参照光と付与される直流成分との位相差の制御が容易になる。また、記録領域も小さくなり、記録密度が向上する。
【０１３６】
フーリエ変換レンズ７２の光出射側には、光記録媒体７４を保持する保持ステージ（図示せず）が設けられている。光記録媒体７４は、反射層７４Ａと、光照射による屈折率変化によりホログラムを記録可能な光記録層７４Ｂと、を備えた光記録媒体である。反射層７４Ａは、金属や半金属を蒸着した反射率の高い薄膜で構成されている。光記録層７４Ｂには、例えば、フォトポリマー材料、フォトリフラクティブ材料、銀塩感光材料等の記録材料が用いられる。
【０１３７】
保持ステージは、制御装置８２に接続された駆動装置（図示せず）により駆動されて、光軸方向又は光軸と垂直な面方向に移動する。保持ステージは、例えば、光記録媒体７４の反射層７４Ａと光記録層７４Ｂとの界面が、フーリエ変換レンズ７２の焦点位置となる位置で、光記録媒体７４を保持する。フーリエ変換レンズ７２は、入射した光をフーリエ変換して光記録媒体７４に集光する。
【０１３８】
１/４波長板６４から見て、偏光ビームスプリッタ６０の光反射側には、ＣＣＤやＣＭＯＳアレイ等の撮像素子で構成され、受光した再生光（回折光）を電気信号に変換して出力する光検出器としてのセンサアレイ８０が配置されている。また、センサアレイ８０は、制御装置８２に接続されている。センサアレイ８０は、受光面に結像された再生像を撮像し、得られた画像データを制御装置８２に出力する。
【０１３９】
（ホログラムの記録動作）
ホログラムを記録する場合には、空間光変調器２０には記録用パターンを表示する。例えば、図９（Ａ）に示すように、固定配置された信号光領域２０Ｓに信号光パターンを表示すると共に、表示面２０Ａの中心点に対し対称となるようにリング状の参照光領域２０Ｒを配置して、この参照光領域２０Ｒに参照光パターンを表示する。参照光の０次及び１次の回折成分しか使用しないので、参照光パターンとしては、チェッカーパターンのような周期的パターンを用いることが好ましい。
【０１４０】
ホログラムを記録する場合には、シャッター５２を開いて、光源５０からレーザ光を照射する。同時に、制御装置８２からデジタルデータを所定のタイミングで出力して、空間光変調器６２に記録用パターン（図９（Ａ）参照）を表示する。光源５０から発振されたレーザ光は、シャッター５２を通過し、１／２波長板５４と偏光板５６とにより光強度や偏光方向が調整される。偏光板５６を通過した光（Ｓ偏光）は、ビームエキスパンダ５８により大径の平行光に変換されて、偏光ビームスプリッタ６０により反射され、空間光変調器６２に照射される。
【０１４１】
空間光変調器６２では、表示されたパターンに応じてレーザ光が変調され、信号光と参照光とが生成される。空間光変調器６２で変調された記録光、即ち、信号光と参照光とは、偏光ビームスプリッタ６０側に反射され、Ｐ偏光に変換されて偏光ビームスプリッタ６０に入射する。Ｐ偏光の信号光と参照光とは、偏光ビームスプリッタ６０を透過して、１/４波長板６４で円偏光に変換され、レンズ６６で集光され、遮光板６８に照射される。
【０１４２】
レンズ６６で集光された記録光は、２次以上の回折光成分が遮光板６８でカットされ、０次及び１次の回折成分がアパーチャ６８Ａを通過する。アパーチャ６８Ａを通過した記録光（信号光と参照光）は、レンズ７０により平行光に変換され、フーリエ変換レンズ７２によりフーリエ変換されて集光され、光記録媒体７４に同時に且つ同軸で照射される。信号光と参照光とが集光される位置において、信号光と参照光とが干渉して形成された干渉縞が、光記録媒体７４にホログラムとして記録される。
【０１４３】
（ホログラムの再生動作）
本実施の形態では、記録された１枚のフーリエ変換ホログラムから、ポジティブ画像及びネガティブ画像の２枚の再生像を検出する。まず、元の信号光パターンと同じポジティブ画像を再生する場合には、シャッター５２を開いて、光源５０からレーザ光を照射する。同時に、制御装置８２から参照光パターンを表示するためのデジタルデータを所定のタイミングで出力して、図９（Ｂ）に示すように、参照光だけが光記録媒体７４に照射されるように、空間光変調器６２の記録時と同じ位置に参照光領域２０Ｒを配置し、参照光領域２０Ｒに記録時と同じ参照光パターンを表示する。
【０１４４】
光源５０から発振されたレーザ光は、記録時と同様にして、空間光変調器６２に入射する。空間光変調器６２では、表示されたパターンに応じてレーザ光が変調され、参照光が生成される。空間光変調器６２で変調されて生成された参照光は、偏光ビームスプリッタ６０側に反射され、Ｐ偏光に変換されて偏光ビームスプリッタ６０に入射する。Ｐ偏光の信号光と参照光とは、偏光ビームスプリッタ６０を透過して、１/４波長板６４で円偏光に変換され、レンズ６６で集光され、遮光板６８に照射される。
【０１４５】
レンズ６６で集光された参照光は、０次及び１次の回折成分だけがアパーチャ６８Ａを通過して、レンズ７０により平行光に変換される。レンズ７０により平行光に変換された参照光は、フーリエ変換レンズ７２によりフーリエ変換されて集光され、光記録媒体７４に照射される。即ち、光記録媒体７４には、参照光だけが読出し光として照射される。
【０１４６】
光記録媒体７４に照射された参照光は、光記録層７４Ｂを透過するときに、ホログラムによって回折され、透過回折光（再生光）が反射層７４Ａで反射されて、レンズ７２側に射出される。光記録媒体７４から射出された再生光は、レンズ７２により逆フーリエ変換され、レンズ７０、６６によりリレーされ、１/４波長板６４で直線偏光（Ｓ偏光）に変換されて、偏光ビームスプリッタ６０に入射する。
【０１４７】
偏光ビームスプリッタ６０に入射した再生光（Ｓ偏光）は、偏光ビームスプリッタ６０でセンサアレイ８０側に反射されて、センサアレイ８０の表面に結像される。センサアレイ８０には、記録時に空間光変調器６２に表示した元の信号光パターン、即ち、元の信号光パターンのポジティブ画像（以下、「ポジ画像」という。）が結像される。センサアレイ８０が、この再生光を検出して、第１再生像（ポジ画像）が取得される。
【０１４８】
次に、元の信号光パターンが反転したネガティブ画像を再生する場合には、シャッター５２を開いて、光源５０からレーザ光を照射する。同時に、制御装置８２から参照光パターンを表示するためのデジタルデータを所定のタイミングで出力して、図９（Ｃ）に示すように、空間光変調器６２のリング状の参照光領域２０Ｒを中心点に対し図面上で右上に移動するようにスライドさせて、右上に移動させた参照光領域２０Ｒに参照光パターンを表示する。同時に、固定配置された信号光領域２０Ｓに、所定の輝度値を有する透過パターンを表示する。
【０１４９】
光源５０から発振されたレーザ光は、記録時と同様にして、空間光変調器６２に入射する。空間光変調器６２では、表示されたパターンに応じてレーザ光が変調され、参照光と付与される直流成分とが生成される。生成された参照光と付与される直流成分とは、偏光ビームスプリッタ６０側に反射され、Ｐ偏光に変換されて偏光ビームスプリッタ６０に入射する。Ｐ偏光の参照光と付与される直流成分とは、偏光ビームスプリッタ６０を透過して、１/４波長板６４で円偏光に変換され、レンズ６６で集光され、遮光板６８に照射される。
【０１５０】
レンズ６６で集光された参照光と付与される直流成分とは、０次及び１次の回折成分だけがアパーチャ６８Ａを通過して、レンズ７０により平行光に変換される。レンズ７０により平行光に変換された参照光と付与される直流成分とは、フーリエ変換レンズ７２によりフーリエ変換されて集光され、光記録媒体７４に照射される。即ち、光記録媒体７４には、参照光と付与される直流成分とが読出し光として照射される。
【０１５１】
光記録媒体７４に照射された参照光は、光記録層７４Ｂを透過するときに、ホログラムによって回折され、透過回折光（再生光）が反射層７４Ａで反射されて、フーリエ変換レンズ７２側に射出される。付与された直流成分は回折されずに反射層７４Ａで反射される。元の信号光パターンの反転画像の再生は、ホログラムからの回折光と付与された直流成分との干渉の結果として実現される。即ち、ホログラムからの回折光と付与された直流成分とが逆位相で干渉するように、回折光と直流成分との位相差を設定することで、元の信号光パターンの反転画像が再生される。この位相差の設定は、空間光変調器６２における、参照光パターンの表示位置のずれ量により行うことができる。
【０１５２】
ホログラムからの回折光と付与された直流成分とは、フーリエ変換レンズ７２により逆フーリエ変換されて、レンズ７０、６６によりリレーされ、１/４波長板６４で直線偏光（Ｓ偏光）に変換されて、偏光ビームスプリッタ６０に入射する。偏光ビームスプリッタ６０に入射した再生光（Ｓ偏光）は、偏光ビームスプリッタ６０でセンサアレイ８０側に反射されて、センサアレイ８０の表面に結像される。センサアレイ８０には、記録時に空間光変調器６２に表示した元の信号光パターンの反転パターン、即ち、元の信号光パターンのネガティブ画像（以下、「ネガ画像」という。）が結像される。センサアレイ８０が、この再生光を検出して、第２再生像（ネガ画像）が取得される。
【０１５３】
なお、ネガ画像が得られる理由は、第４の実施の形態で説明した通りである。反射型の空間光変調器６２としてＤＭＤを用いる場合には、ホログラムのネガ画像を再生するときに、ホログラムからの回折光と付与された直流成分との逆位相による干渉が大きくなるように、各画素部の振動周期が同期することが好ましい。例えば、信号光パターンを表示する信号光領域２０Ｓの画素部のスイング周期ｍ（Ｈｚ）と、参照光パターンを表示する参照光領域２０Ｒの画素部のスイング周期ｎ（Ｈｚ）とを、ｋ・ｎ＝ｍ（ｋは１以上の整数）の関係を満たすように設定する。
【０１５４】
また、本実施の形態では、第４の実施の形態と同様に、１枚のフーリエ変換ホログラムから、ポジ画像とネガ画像の２枚の再生像を検出することができる。センサアレイ８０は、第１再生像の画像データと第２再生像の画像データとを制御装置８２に出力する。第１再生像の画像データ、第２再生像の画像データは、制御装置８２のＲＡＭ等の記憶部に保持される。
【０１５５】
本実施の形態においても、第４の実施の形態と同様に、第１再生像の画像データと第２再生像の画像データ、これら２つの画像データを用いて、信号光パターンの各画素について輝度の差分を演算する。差分を演算することで、両画像データに共通するノイズが相殺される。演算された差分値（正負）により、各画素の符号が正確に判定され、二次元符号化された元のデジタルデータが高いＳＮＲで復号される。また、元のデジタルデータが高いＳＮＲで復号されると、ビットエラーレート（ＢＥＲ）も低下する。
【０１５６】
＜第６の実施の形態＞
第６の実施の形態では、コリニア方式において、空間光変調器における参照光パターンの表示位置に応じて位相が変調された参照光を利用して、液晶型の空間光変調器を使用する場合に限定されることなく、１枚のホログラムからポジティブ画像及びネガティブ画像の２つの再生像が得られるように、ホログラムを記録し再生する記録再生方式について説明する。
【０１５７】
（ホログラム記録再生装置）
第６の実施の形態に係るホログラム記録再生装置は、遮光板２４のアパーチャ２４Ａの開口径を制御した以外は、図６に示した第２の実施の形態に係るホログラム記録再生装置と同じ構成であるため、異なる構成部分以外は説明を省略する。
【０１５８】
遮光板２４のアパーチャ２４Ａは、図４（Ｂ）に示したフーリエ変換像のうち、０次及び１次の回折成分（点線で囲んだ部分）を透過し、２次以上の回折成分を遮蔽するように、所定の開口径で形成されている。２次以上の回折成分を遮蔽することで、光記録媒体３０には、０次及び１次の回折成分だけが照射される。ｘ軸方向の空間周波数μとｙ軸方向の空間周波数νは各々１種類となり、後述する通り、参照光と付与される直流成分との位相差の制御が容易になる。また、記録領域も小さくなり、記録密度が向上する。
【０１５９】
（ホログラムの記録動作）
ホログラムを記録する場合には、制御装置３６により駆動装置４６を制御してマスク４４を駆動し、マスク４４を参照光の光路に対し挿入する。また、シャッター１２を開いて、光源１０からレーザ光を照射する。同時に、制御装置３６からデジタルデータを所定のタイミングで出力して、空間光変調器２０に記録用パターンを表示する。
【０１６０】
例えば、図１１（Ａ）に示すように、固定配置された信号光領域２０Ｓに信号光パターンを表示すると共に、表示面２０Ａの中心点に対し対称となるようにリング状の参照光領域２０Ｒを配置して、この参照光領域２０Ｒに参照光パターンを表示する。参照光の０次及び１次の回折成分しか使用しないので、参照光パターンとしては、チェッカーパターンのような周期的パターンを用いることが好ましい。
【０１６１】
光源１０から発振されたレーザ光は、第１の実施の形態と同様にして、空間光変調器２０に入射する。空間光変調器２０では、表示されたパターンに応じてレーザ光が変調され、信号光と参照光とが生成される。空間光変調器２０で変調された記録光、即ち、信号光と参照光とは、レンズ２２で集光され、遮光板２４及びマスク４４に照射される。
【０１６２】
レンズ２２で集光された記録光は、２次以上の回折光成分が遮光板２４でカットされ、０次回折成分がマスク４４で除去されて、１次の回折成分だけがアパーチャ２４Ａを通過する。アパーチャ２４Ａを通過した記録光（信号光と参照光）は、レンズ２６により平行光に変換され、フーリエ変換レンズ２８によりフーリエ変換されて集光され、光記録媒体３０に同時に且つ同軸で照射される。信号光と参照光とが集光される位置において、信号光と参照光とが干渉して形成された干渉縞が、光記録媒体３０にホログラムとして記録される。
【０１６３】
本実施の形態では、第２の実施の形態と同様に、記録するページ毎に参照光領域２０Ｒの位置を変えて、参照光パターンを表示する「参照光パターンスライド多重」を実施することができる。即ち、同じ参照光パターンがｘｙ平面上で移動し、記録するページ毎にｘｙ平面上の異なる位置に表示される。参照光パターンの表示位置に応じて、参照光の位相が変調される。ページ毎に位相分布が異なる参照光を用いることで、複数ページのホログラムを同じ位置に多重記録することができる。
【０１６４】
参照光パターンの表示位置を変えて得られた位相の異なる参照光は、０次回折成分は位相がずれないために、共通の直流成分を有している。この共通の直流成分はクロストークの原因となる。参照光間にクロストークがあると、記録時にはノイズ・グレーティングが形成される。また、再生時には再生像のＳ／Ｎを劣化させることになる。本実施の形態では、記録時に参照光の直流成分が除去されるので、このクロストークを抑制することができる。
【０１６５】
（ホログラムの再生動作）
本実施の形態では、記録された１枚のフーリエ変換ホログラムから、ポジティブ画像及びネガティブ画像の２枚の再生像を検出する。まず、元の信号光パターンと同じポジティブ画像を再生する場合には、シャッター１２を開いて、光源１０からレーザ光を照射する。同時に、制御装置３６から参照光パターンを表示するためのデジタルデータを所定のタイミングで出力して、図１１（Ｂ）に示すように、空間光変調器２０のリング状の参照光領域２０Ｒを中心点に対し図面上で左下に移動するようにスライドさせて、左下に移動させた参照光領域２０Ｒに参照光パターンを表示する。また、同時に、固定配置された信号光領域２０Ｓに、所定の輝度値を有する透過パターンを表示する。
【０１６６】
例えば、光記録媒体３０をフォトポリマーで構成し、参照光パターンの表示位置のずれ量（シフト量）を、図４（Ａ）に示したのとは逆に、ｘ軸方向に−ａ、ｙ軸方向に−ｂとした場合について説明する。この場合は、記録時に用いた参照光との位相ずれ量が、｜２π（μａ＋νｂ）｜＝π／２で、大きさは図４（Ａ）の場合と同じであるが、絶対値をはずした場合の値の符号が逆となるように、参照光パターンの表示位置をずらす。
【０１６７】
光源１０から発振されたレーザ光は、第１の実施の形態と同様にして、空間光変調器２０に入射する。空間光変調器２０では、表示されたパターンに応じてレーザ光が変調され、参照光と付与される直流成分とが生成される。空間光変調器２０で変調されて生成された参照光と付与される直流成分とは、レンズ２２で集光され、１次の回折成分だけがアパーチャ２４Ａを通過して、レンズ２６により平行光に変換される。レンズ２６により平行光に変換された参照光と付与される直流成分とは、フーリエ変換レンズ２８によりフーリエ変換されて集光され、光記録媒体３０に照射される。即ち、光記録媒体３０には、参照光と付与される直流成分とが読出し光として照射される。
【０１６８】
光記録媒体３０に照射された参照光は、光記録媒体３０を透過するときに、ホログラムによって回折され、透過回折光（再生光）がフーリエ変換レンズ３２側に射出される。付与された直流成分は回折されずに光記録媒体３０を透過する。元の信号光パターンの復元は、ホログラムからの回折光と付与された直流成分との干渉の結果として実現される。即ち、ホログラムからの回折光と付与された直流成分とが同位相で干渉するように、回折光と直流成分との位相差を設定することで、元の信号光パターンと同じ画像が再生される。この位相差の設定は、空間光変調器２０における、参照光パターンの表示位置のずれ量により、行うことができる。
【０１６９】
ホログラムからの回折光と付与された直流成分とは、フーリエ変換レンズ３２により逆フーリエ変換されて、センサアレイ３４に入射する。センサアレイ３４には、記録時に空間光変調器２０に表示した元の信号光パターンと同じパターン、即ち、元の信号光パターンのポジ画像が結像される。センサアレイ３４が、この再生光を検出して、第１再生像（ポジ画像）が取得される。
【０１７０】
次に、元の信号光パターンが反転したネガティブ画像を再生する場合には、シャッター１２を開いて、光源１０からレーザ光を照射する。同時に、制御装置３６から参照光パターンを表示するためのデジタルデータを所定のタイミングで出力して、図１１（Ｃ）に示すように、空間光変調器２０のリング状の参照光領域２０Ｒを中心点に対し図面上で右上に移動するようにスライドさせて、右上に移動させた参照光領域２０Ｒに参照光パターンを表示する。また、同時に、固定配置された信号光領域２０Ｓに、所定の輝度値を有する透過パターンを表示する。
【０１７１】
例えば、光記録媒体３０をフォトポリマーで構成し、参照光パターンの表示位置のずれ量（シフト量）を、図４（Ａ）に示すように、ｘ軸方向にａ、ｙ軸方向にｂとした場合について説明する。この場合は、記録時に用いた参照光との位相ずれ量が、｜２π（μａ＋νｂ）｜＝π／２となるように、参照光パターンの表示位置をずらす。
【０１７２】
光源１０から発振されたレーザ光は、ポジ画像の場合と同様にして、空間光変調器２０に入射する。空間光変調器２０では、表示されたパターンに応じてレーザ光が変調され、参照光と付与される直流成分とが生成される。生成された参照光と付与される直流成分とは、レンズ２２で集光され、１次の回折成分だけがアパーチャ２４Ａを通過して、レンズ２６により平行光に変換され、フーリエ変換レンズ２８によりフーリエ変換されて集光され、光記録媒体３０のホログラムが記録された領域に照射される。即ち、光記録媒体３０には、参照光と付与された直流成分とが読出し光として照射される。
【０１７３】
光記録媒体３０に照射された参照光は、光記録媒体３０を透過するときに、ホログラムによって回折され、透過回折光（再生光）がフーリエ変換レンズ３２側に射出される。付与された直流成分は回折されずに光記録媒体３０を透過する。元の信号光パターンの反転画像の再生は、ホログラムからの回折光と付与された直流成分との干渉の結果として実現される。即ち、ホログラムからの回折光と付与された直流成分とが逆位相で干渉するように、回折光と直流成分との位相差を設定することで、元の信号光パターンの反転画像が再生される。この位相差の設定は、空間光変調器２０における、参照光パターンの表示位置のずれ量により、行うことができる。
【０１７４】
ホログラムからの回折光と付与された直流成分とは、フーリエ変換レンズ３２により逆フーリエ変換されて、センサアレイ３４に入射する。センサアレイ３４には、記録時に空間光変調器２０に表示した元の信号光パターンの反転パターン、即ち、元の信号光パターンのネガ画像が結像される。センサアレイ３４が、この再生光を検出して、第２再生像（ネガ画像）が取得される。
【０１７５】
また、本実施の形態では、第４の実施の形態と同様に、１枚のフーリエ変換ホログラムから、ポジ画像とネガ画像の２枚の再生像を検出することができる。センサアレイ３４は、第１再生像の画像データと第２再生像の画像データとを制御装置３６に出力する。第１再生像の画像データ、第２再生像の画像データは、制御装置３６のＲＡＭ等の記憶部に保持される。
【０１７６】
本実施の形態においても、第４の実施の形態と同様に、第１再生像の画像データと第２再生像の画像データ、これら２つの画像データを用いて、信号光パターンの各画素について輝度の差分を演算する。差分を演算することで、両画像データに共通するノイズが相殺される。演算された差分値（正負）により、各画素の符号が正確に判定され、二次元符号化された元のデジタルデータが高いＳＮＲで復号される。また、元のデジタルデータが高いＳＮＲで復号されると、ビットエラーレート（ＢＥＲ）も低下する。
【０１７７】
なお、上記の第４〜第６の実施の形態においても、参照光パターンの表示位置を変えて参照光の位相を変調するので、「参照光パターンスライド多重」と同様に、再生または記録時に１ページ処理するたびに光記録媒体を記録光に対して相対移動させることなく（媒体非移動で）、ホログラムを記録・再生できるので、再生時や記録時の高速化を狙うこともできる。
【図面の簡単な説明】
【０１７８】
【図１】第１の実施の形態に係るホログラム記録再生装置の構成を示す概略図である。
【図２】（Ａ）は記録時に空間光変調器に表示する記録用パターンの一例を示す図である。（Ｂ）は空間光変調器の平面図である。
【図３】（Ａ）〜（Ｃ）は、複数ページを記録する場合に表示する記録用パターンの一例を示す図である。
【図４】（Ａ）及び（Ｂ）は、参照光パターンの表示位置に応じて参照光の位相が変調される理由を説明する図である。
【図５】（Ａ）〜（Ｃ）は、「参照光パターンスライド多重」で記録された各ページを再生するときに表示する再生用パターンの一例を示す図である。
【図６】第２の実施の形態に係るホログラム記録再生装置の構成を示す概略図である。
【図７】（Ａ）〜（Ｄ）は、複数ページを記録する場合に表示する記録用パターン及び再生用パターンの一例を示す図である。
【図８】第３の実施の形態に係るホログラム記録再生装置の構成を示す概略図である。
【図９】（Ａ）〜（Ｃ）は、１枚のホログラムから複数の再生像を得る場合に表示する記録用パターン及び再生用パターンの一例を示す図である。
【図１０】第５の実施の形態に係るホログラム記録再生装置の構成を示す概略図である。
【図１１】（Ａ）〜（Ｃ）は、１枚のホログラムから複数の再生像を得る場合に表示する記録用パターン及び再生用パターンの他の一例を示す図である。
【符号の説明】
【０１７９】
１０   光源
１２   シャッター
１４   １／２波長板
１６   偏光板
１８   ビームエキスパンダ
２０   空間光変調器
２０Ｒ 参照光領域
２０Ｓ 信号光領域
２０Ａ 表示面
２２   レンズ
２４Ａ アパーチャ
２４   遮光板
２６   レンズ
２８   フーリエ変換レンズ
３０   光記録媒体
３２   フーリエ変換レンズ
３２   レンズ
３４   センサアレイ
３６   制御装置
３８   駆動装置
４０   駆動装置
４２   記録用パターン
４４   マスク
４６   駆動装置
４８   位相マスク
５０   光源
５２   シャッター
５４   １／２波長板
５６   偏光板
５８   ビームエキスパンダ
６０   偏光ビームスプリッタ
６２   空間光変調器
６４   １／４波長板
６６   レンズ
６８Ａ アパーチャ
６８   遮光板
７０   レンズ
７２   フーリエ変換レンズ
７２   レンズ
７４   光記録媒体
７４Ａ 反射層
７４Ｂ 光記録層
８０   センサアレイ
８２   制御装置
８４   駆動装置
【図１】
0004992786.tif 000006
【図３】
0004992786.tif 000007
【図４】
0004992786.tif 000008
【図５】
0004992786.tif 000009
【図６】
0004992786.tif 000010
【図８】
0004992786.tif 000011
【図２】
0004992786.tif 000012
【図７】
0004992786.tif 000013
【図９】
0004992786.tif 000014
【図１０】
0004992786.tif 000015
【図１１】
0004992786.tif 000016